【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
デジタルオブジェクト識別子(DOI)表示要求を受信する前に、第1のユーザの識別タイプ情報を前記識別タイプ情報に関連付けられた有効期間に基づいて事前認証するステップと、
DOI表示要求を受信するステップと、
表示要求に対応するサービスのサービスタイプを決定するステップと、
前記サービスタイプに基づいて、前記第1のユーザの基本ユーザ情報、および前記サービスタイプに対応する識別タイプ情報を決定するステップであって、前記識別タイプ情報が事前認証される、ステップと、
前記基本ユーザ情報および前記事前認証された識別タイプ情報に基づいて、前記第1のユーザのDOIを生成するステップと、
サービス処理を実行するように、前記DOI内の前記基本ユーザ情報および前記識別タイプ情報に基づいて、第2のユーザのために前記DOIを表示するステップと
を含むサービス処理のためのコンピュータ実装方法。
【請求項２】
前記識別タイプ情報を事前認証するステップが、
認証されるべき前記識別タイプ情報を受信するステップであって、前記識別タイプ情報が前記第1のユーザによって入力される、ステップと、
認証のために、検証機能を有するサーバに、認証されるべき前記識別タイプ情報を送信するステップと
を含む、請求項1に記載のコンピュータ実装方法。
【請求項３】
前記基本ユーザ情報および前記識別タイプ情報に基づいて、前記第1のユーザの前記DOIを生成するステップが、
前記識別タイプ情報のための情報フラグビットを設定するステップと、
前記基本ユーザ情報、および前記情報フラグビットを有する前記識別タイプ情報に基づいて、前記第1のユーザの前記DOIを生成するステップと
を含む、請求項1に記載のコンピュータ実装方法。
【請求項４】
前記DOI内の前記第1のユーザの前記識別タイプ情報が、
DOI情報を取得するために前記DOIを解析することと、
取得された情報として前記DOI情報内の事前に合意された識別タイプフラグビットに対応する情報を決定することと、
前記取得された情報を、前記第1のユーザの前記識別タイプ情報であると判断することと
によって決定される、請求項1に記載のコンピュータ実装方法。
【請求項５】
前記識別タイプ情報をチェックするステップと、
前記識別タイプ情報が前記サービスの前記サービスタイプと一致すると判断するステップとをさらに含む、請求項1に記載のコンピュータ実装方法。
【請求項６】
サービス処理を実行するステップが、
所定のサービス処理規則に基づいて、前記識別タイプ情報と一致するサービス処理方法を決定するステップと、
前記サービス処理方法および前記基本ユーザ情報に基づいてサービス処理を実行するステップと
を含む、請求項1に記載のコンピュータ実装方法。
【請求項７】
サービス処理を実行するステップが、
前記所定のサービス処理規則に基づいて、前記識別タイプ情報と一致する支払い割引係数を決定するステップと、
前記支払い割引係数および前記基本ユーザ情報に基づいて、支払いおよび控除を実行するステップと
を含む、請求項6に記載のコンピュータ実装方法。
【請求項８】
デジタルオブジェクト識別子(DOI)表示要求を受信する前に、第1のユーザの識別タイプ情報を前記識別タイプ情報に関連付けられた有効期間に基づいて事前認証するステップと、
DOI表示要求を受信するステップと、
表示要求に対応するサービスのサービスタイプを決定するステップと、
前記サービスタイプに基づいて、前記第1のユーザの基本ユーザ情報、および前記サービスタイプに対応する識別タイプ情報を決定するステップであって、前記識別タイプ情報が事前認証される、ステップと、
前記基本ユーザ情報および前記事前認証された識別タイプ情報に基づいて、前記第1のユーザのDOIを生成するステップと、
サービス処理を実行するように、前記DOI内の前記基本ユーザ情報および前記識別タイプ情報に基づいて、第2のユーザのために前記DOIを表示するステップと
を含むサービス処理のための動作を実行するためのコンピュータシステムによって実行可能な1つまたは複数の命令を記憶する非一時的コンピュータ可読記憶媒体。
【請求項９】
前記識別タイプ情報を事前認証するステップが、
認証されるべき前記識別タイプ情報を受信するステップであって、前記識別タイプ情報が前記第1のユーザによって入力される、ステップと、
認証のために、検証機能を有するサーバに、認証されるべき前記識別タイプ情報を送信するステップと
を含む、請求項8に記載の非一時的コンピュータ可読記憶媒体。
【請求項１０】
前記基本ユーザ情報および前記識別タイプ情報に基づいて、前記第1のユーザの前記DOIを生成するステップが、
前記識別タイプ情報のための情報フラグビットを設定するステップと、
前記基本ユーザ情報、および前記情報フラグビットを有する前記識別タイプ情報に基づいて、前記第1のユーザの前記DOIを生成するステップと
を含む、請求項8に記載の非一時的コンピュータ可読記憶媒体。
【請求項１１】
前記DOI内の前記第1のユーザの前記識別タイプ情報が、
DOI情報を取得するために前記DOIを解析することと、
取得された情報として前記DOI情報内の事前に合意された識別タイプフラグビットに対応する情報を決定することと、
前記取得された情報を、前記第1のユーザの前記識別タイプ情報であると判断することと
によって決定される、請求項8に記載の非一時的コンピュータ可読記憶媒体。
【請求項１２】
前記識別タイプ情報をチェックするステップと、
前記識別タイプ情報が前記サービスの前記サービスタイプと一致すると判断するステップとをさらに含む、請求項8に記載の非一時的コンピュータ可読記憶媒体。
【請求項１３】
サービス処理を実行するステップが、
所定のサービス処理規則に基づいて、前記識別タイプ情報と一致するサービス処理方法を決定するステップと、
前記サービス処理方法および前記基本ユーザ情報に基づいてサービス処理を実行するステップと
を含む、請求項8に記載の非一時的コンピュータ可読記憶媒体。
【請求項１４】
サービス処理を実行するステップが、
前記所定のサービス処理規則に基づいて、前記識別タイプ情報と一致する支払い割引係数を決定するステップと、
前記支払い割引係数および前記基本ユーザ情報に基づいて、支払いおよび控除を実行するステップと
を含む、請求項13に記載の非一時的コンピュータ可読記憶媒体。
【請求項１５】
1つまたは複数のコンピュータと
前記1つまたは複数のコンピュータに相互動作可能に結合され、1つまたは複数の命令を記憶する有形の非一時的機械可読記憶媒体を有する1つまたは複数のコンピュータメモリデバイスとを備えるサービス処理のためのコンピュータ実装システムであって、
前記1つまたは複数の命令が、前記1つまたは複数のコンピュータによって実行されると、
デジタルオブジェクト識別子(DOI)表示要求を受信する前に、第1のユーザの識別タイプ情報を前記識別タイプ情報に関連付けられた有効期間に基づいて事前認証するステップと、
DOI表示要求を受信するステップと、
表示要求に対応するサービスのサービスタイプを決定するステップと、
前記サービスタイプに基づいて、前記第1のユーザの基本ユーザ情報、および前記サービスタイプに対応する識別タイプ情報を決定するステップであって、前記識別タイプ情報が事前認証される、ステップと、
前記基本ユーザ情報および前記事前認証された識別タイプ情報に基づいて、前記第1のユーザのDOIを生成するステップと、
サービス処理を実行するように、前記DOI内の前記基本ユーザ情報および前記識別タイプ情報に基づいて、第2のユーザのために前記DOIを表示するステップと
を含む1つまたは複数の動作を実行する、コンピュータ実装システム。
【請求項１６】
前記識別タイプ情報を事前認証するステップが、
認証されるべき前記識別タイプ情報を受信するステップであって、前記識別タイプ情報が前記第1のユーザによって入力される、ステップと、
認証のために、検証機能を有するサーバに、認証されるべき前記識別タイプ情報を送信するステップと
を含む、請求項15に記載のコンピュータ実装システム。
【請求項１７】
前記基本ユーザ情報および前記識別タイプ情報に基づいて、前記第1のユーザの前記DOIを生成するステップが、
前記識別タイプ情報のための情報フラグビットを設定するステップと、
前記基本ユーザ情報、および前記情報フラグビットを有する前記識別タイプ情報に基づいて、前記第1のユーザの前記DOIを生成するステップと
を含む、請求項15に記載のコンピュータ実装システム。
【請求項１８】
前記DOI内の前記第1のユーザの前記識別タイプ情報が、
DOI情報を取得するために前記DOIを解析することと、
取得された情報として前記DOI情報内の事前に合意された識別タイプフラグビットに対応する情報を決定することと、
前記取得された情報を、前記第1のユーザの前記識別タイプ情報であると判断することと
によって決定される、請求項15に記載のコンピュータ実装システム。
【請求項１９】
前記識別タイプ情報をチェックするステップと、
前記識別タイプ情報が前記サービスの前記サービスタイプと一致すると判断するステップとをさらに含む、請求項15に記載のコンピュータ実装システム。
【請求項２０】
サービス処理を実行するステップが、
所定のサービス処理規則に基づいて、前記識別タイプ情報と一致するサービス処理方法を決定するステップと、
前記サービス処理方法および前記基本ユーザ情報に基づいてサービス処理を実行するステップと
前記所定のサービス処理規則に基づいて、前記識別タイプ情報と一致する支払い割引係数を決定するステップと、
前記支払い割引係数および前記基本ユーザ情報に基づいて、支払いおよび控除を実行するステップと
を含む、請求項15に記載のコンピュータ実装システム。